(57)【要約】 【課題】敷設に手間がかからず、誰が敷設しても寒暖による寸法変化を吸収することが可能なユニット床材を提供する。【解決手段】柱状の連結突起と連結突起を挿入する連結環とを有し、連結突起と連結環との嵌合により互いに連結して床面を形成するユニット床材であって、連結環が互いに連結するユニット床材同士の隣接する方向に遊びを有し、連結突起が嵌合を保持するための膨出部を有し、連結環が遊び部分に対する相対的な位置を規定し連結突起の膨出部を導入するための切り欠き部を有することを特徴とするユニット床材。【選択図】図１
2006225912.tif 000002
【特許請求の範囲】
【請求項１】
柱状の連結突起と連結突起を挿入する連結環とを有し、連結突起と連結環との嵌合により互いに連結して床面を形成するユニット床材であって、連結環が互いに連結するユニット床材同士の隣接する方向に遊びを有し、連結突起が嵌合を保持するための膨出部を有し、連結環が、遊び部分に対する相対的な位置を規定し連結突起の膨出部を導入するための切り欠き部を有することを特徴とするユニット床材。
【発明の詳細な説明】
【技術分野】
【０００１】
本発明は、ベランダ、バルコニー、テラス等に敷設されるユニット床材の組立体に関するものである。
【背景技術】
【０００２】
住宅等のバルコニー、ベランダ、テラス等に、美観の向上等を目的とし、互いに連結して敷設されるユニット床材が好適に用いられる。しかし、これらユニット床材は、少なくとも基板部分を形成する合成樹脂が寒暖の温度差により収縮・膨張し、連結部が外れ目開きが生じたり、あるいは、ユニット床材同士が突きあげたりするといった不具合が生じていた。
【０００３】
上述の問題を解消する手段として、連結環の連結突起が挿入される部分を長孔形状とし、連結突起が長孔方向にスライドしうる遊びを設けることで寒暖の温度差による寸法変化を吸収する連結構造が開示されている（特許文献１参照。）。
【０００４】
しかし、この連結構造では遊びを有する分、互いに連結するユニット床材同士の間隔が一定に定まらず、仮にその敷設現場において一定の間隔で設置できても、その状態から変化する寒暖によっては結局寸法変化を吸収できない等の問題があった。
【特許文献１】実公平７−６３２０号公報
【発明の開示】
【発明が解決しようとする課題】
【０００５】
本発明はかかる従来技術の欠点を解消し、敷設に手間がかからず、誰が敷設しても寒暖による寸法変化を吸収することが可能なユニット床材を提供することを目的とする。  
【課題を解決するための手段】
【０００６】
すなわち本発明は、柱状の連結突起と連結突起を挿入する連結環とを有し、連結突起と連結環との嵌合により互いに連結して床面を形成するユニット床材であって、連結環が互いに連結するユニット床材同士の隣接する方向に遊びを有し、連結突起が嵌合を保持するための膨出部を有し、連結環が、遊び部分に対する相対的な位置を規定し連結突起の膨出部を導入するための切り欠き部を有することを特徴とするユニット床材である。
【発明の効果】
【０００７】
本発明によれば、一定の間隔さらには敷設時の環境から生じうる温度変化を想定した間隔でユニット床材同士を連結することが可能となり、熟練や細心の配慮を要せずとも温度変化による寸法変化に対応しうるユニット床材の敷設が可能となる。よって、連結部が外れ目開きが生じたり、ユニット床材同士が突きあげたりするのを防止することが出来る。
【発明を実施するための最良の形態】
【０００８】
本発明のユニット床材を形成する素材としては、特に基板部分について合成樹脂を採用することが、軽量性、加工性、コスト等の点で好ましい。また、合成樹脂の温度変化による寸法変化にも本発明は適切な対応が可能なので、本発明は特に合成樹脂に好適であると言える。合成樹脂としては例えば、ポリエチレン、ポリプロピレンなどのオレフィン系樹脂、これらの共重合体、エチレン−酢酸ビニル共重合体等の熱可塑性樹脂を挙げることができる。さらに必要に応じてＥＰＤＭ、ＥＰＭ等のオレフィン系ゴムをエラストマーとして適宜加えても良い。
【０００９】
また、基材の上にさらに表面材として人工芝生、陶磁器質タイル、人工木材及び天然木材等の化粧材を貼り合わせることも意匠性の点から好ましい。また、基材と表面材とを合成樹脂により一体成型してなるものも、軽量性、取扱い性、コスト等の点で好ましい。
【００１０】
本発明のユニット床材は、連結突起と連結突起を挿入する連結環とを有する。連結突起と連結環とが嵌合して、隣接するユニット床材同士が互いに連結する。図１において、ユニット床材１は、隣接する２辺にユニット床材の厚み方向に突出している連結突起４を有し、残りの隣接する２辺に連結環５を有している。該連結突起４と該連結環５を嵌合させることで、複数枚のユニット床材を連結させ床面を形成することが出来る。
【００１１】
またユニット床材の形状としては、図１の様な矩形以外に、三角形、多角形、またはそれらの併用も意匠性の点で好ましい。
【００１２】
連結突起の形状としては、円柱状でも角柱状でもよいし、突起の内部に空洞を有する中空構造でも中実構造でもよい。
【００１３】
また本発明のユニット床材は、前記連結突起が膨出部を有する。膨出部により、連結環との嵌合を保持することができる。図２（Ａ）に示すような連結突起４は、膨出部６を有し、図２（Ｂ），（Ｃ）に示すような連結環５と連結した際、該膨出部６が戻り止めとなり外れ難い構造となっている。膨出部の形状としては、連結の着脱の容易さの点からテーパーを付けることが好ましい。
【００１４】
本発明のユニット床材は、前記連結環が互いに連結するユニット床材同士の隣接する方向に遊びを有することが重要である。例えば図３に示すように、初期敷設状態（Ａ）から、冬場に温度が下降してユニット床材を構成する材料が収縮すると（Ｂ）のように連結突起４がスライドし寸法変化を吸収する。また、夏場に温度が上昇してユニット床材を構成する材料が膨張すると（Ｃ）に示すように連結突起４がスライドし寸法変化を吸収する。
【００１５】
また本発明のユニット床材は、前記連結環が切り欠き部を有することが重要である。当該切り欠き部が、連結環における遊び部分に対する相対的な位置を規定し前記連結突起の膨出部を導入する。
【００１６】
切り欠き部の、連結環における遊び部分に対する相対的な位置としては、連結環の形成する孔（以下、連結孔とも呼ぶ。）の略中央とすることが好ましい。当該位置に切り欠き部を設けることにより、どのシーズンにユニット床材の敷設をしても、当該初期環境を起点（図３（Ａ））とする温度変化に柔軟に対応する（図３（Ｂ），（Ｃ））ことが可能となる。
【００１７】
切り欠き部の形状としては、図２（Ｂ）に示すような連結孔７の中心線側に向けたテーパー部８でもよいし、図２（Ｃ）に示すような鉛直にくり抜かれた切り込み部９でもよい。また、切り欠き部を上方から見た形状としては、多角形でも円形でもよいが、連結突起の断面形状に合わせることは好ましい。また、［連結突起４の膨出部６を含めた幅］＞［連結孔７の切り欠き部を含めない幅］とする事は、連結突起４を切り欠き部により誘導しやすくし、また嵌合を外しにくくする点から好ましい。さらに、［連結突起４の膨出部６を含めない幅］≧［連結孔７の切り欠き部を含めない幅］とする事は、誘導・導入された後、敷設時のささいな衝撃に対し動き難い点から好ましい。
【図面の簡単な説明】
【００１８】
【図１】本発明のユニット床材の一実施例を示し、（Ａ）は平面図、（Ｂ）（Ｃ）は断面図である。
【図２】本発明のユニット床材の要部を示す拡大斜視図であり、（Ａ）は連結突起を、（Ｂ）（Ｃ）は連結環を示す。
【図３】本発明のユニット床材の作用を示す断面図であり、（Ａ）は連結初期、（Ｂ）は収縮した状態、（Ｃ）は膨張した状態を示す。
【符号の説明】
【００１９】
１  ユニット床材
２  表面材
３  基材
４  連結突起
５  連結環
６  膨出部
７  連結孔
８  テーパー部
９  切り込み部
【図１】
2006225912.tif 000003
【図２】
2006225912.tif 000004
【図３】
2006225912.tif 000005